(57)【要約】【課題】簡単な構成で、装飾部の表示を変化させることができる遊技機を提供する。【解決手段】パチスロ１は、前面が開口された箱状のキャビネット１ａと、フロントドア２と、を備える。フロントドア２は、キャビネット１ａの開口を開閉可能に覆い、腰部２２を備える。腰部２２は、腰部本体２１０と、腰部パネル２２ａと、照明ユニット２２ｂと、を有する。腰部パネル２２ａは、腰部フィルム２０２を有する。腰部フィルム２０２は、インクによって形成された第１層２１１、第２層２１２及び第３層２１３を有する。第１層２１１は、第１の図柄ｆ１を有し、第２層２１２は、第１層２１１の外側に形成され、第１層２１１側から透過する光を減光し、第３層２１３は、第１の図柄ｆ１の一部と同様の第２の図柄ｆ２を有し、第２の図柄ｆ２が第１の図柄ｆ１の一部と重なるように第２層２１２の外側に形成されている。【選択図】図６
2014004083.tif 000002
【特許請求の範囲】
【請求項１】
前面が開口された箱状のキャビネットと、
フロントドアと、を備え、
前記フロントドアは、前記キャビネットの開口を開閉可能に覆うドア本体と、前記ドア本体に設けられ、透光性を有する装飾部と、前記ドア本体と前記装飾部との間に設けられ、前記装飾部を照らす光源と、を有し、
前記装飾部は、塗料によって形成された第１層、第２層及び第３層を有し、
前記第１層は、第１の図柄を有し、
前記第２層は、前記第１層の外側に形成され、前記第１層側から透過する光を減光し、
前記第３層は、前記第１の図柄の一部と同様の第２の図柄を有し、前記第２の図柄が前記第１層の前記第１の図柄の一部と重なるように前記第２層の外側に形成されている
ことを特徴とする遊技機。
【請求項２】
前記第２層は、白色の塗料によって形成されている
ことを特徴とする請求項１に記載の遊技機。
【請求項３】
前記第１層、前記第２層及び前記第３層は、同種の塗料によって形成されている
ことを特徴とする請求項１又は請求項２に記載の遊技機。
【発明の詳細な説明】
【技術分野】
【０００１】
本発明は、パチンコ機やパチスロ等の遊技機に関する。
【背景技術】
【０００２】
一般に、パチンコ機やパチスロ等の遊技機は、前面が開口された箱状のキャビネットと、フロントドアとを有している。
フロントドアは、キャビネットの開口を開閉可能に覆うドア本体と、遊技の演出や遊技機の装飾に用いられる装飾部と、光源と、を有している。装飾部は、透光性を有する部材によって形成されている。また、装飾部には、文字やキャラクタ等が印刷されている。光源は、装飾部とドア本体との間に設けられ、発光して装飾部を内側から照らす。装飾部が光源に照らさせることによって、装飾部に印刷された文字やキャラクタ等が鮮明に表示されて、演出や装飾の効果を高めることができる。
【０００３】
特許文献１には、フロントドアに設けられ、遊技に関する演出を行う４ｔｈリールを有するパチスロが記載されている。４ｔｈリールは、円筒形状に形成され、外周には、リールシートが貼着されている。リールシートは、青色の文字が描かれた青色装飾シート、赤色の文字が描かれた赤色装飾シート及びスモークシートの３層からなる。４ｔｈリールの内方には、ＬＥＤにより形成されたリールバックランプが配置されている。リールバックランプは、各装飾シートに描かれた文字と同色系の色の光を遊技の状況に応じて選択的に照射する。スモークシートは、リールバックランプの消灯時において、青色装飾シート及び赤色装飾シートに描かれた各文字を遊技者に対し視認できないようにする。
上記のように構成されたパチスロにおいて、例えば、リールバックランプが赤色の光を照射する場合、遊技者は青色装飾シートに描かれた青色の文字のみ視認できる。また、リールバックランプが青色の光を照射する場合、遊技者は赤色装飾シートに描かれた赤色の文字のみ視認できる。
【先行技術文献】
【特許文献】
【０００４】
【特許文献１】特開２０１０−１６７１９３号公報
【発明の概要】
【発明が解決しようとする課題】
【０００５】
しかしながら、特許文献１に記載された遊技機では、４ｔｈリールの表示を変化させるには、複数枚のシートが必要となり、４ｔｈリールの構造が複雑になる。
【０００６】
そこで本発明は、簡単な構成で、装飾部の表示を変化させることができる遊技機を提供することを目的とする。
【課題を解決するための手段】
【０００７】
本発明の遊技機は、前面が開口された箱状のキャビネットと、フロントドアと、を備える。フロントドアは、キャビネットの開口を開閉可能に覆うドア本体と、ドア本体に設けられ、透光性を有する装飾部と、ドア本体と前記装飾部との間に設けられ、装飾部を照らす光源と、を有する。装飾部は、塗料によって形成された第１層、第２層及び第３層を有する。第１層は、第１の図柄を有する。第２層は、第１層の外側に形成され、第１層側から透過する光を減光する。第３層は、第１の図柄の一部と同様の第２の図柄を有する。また、第２の図柄が第１層の第１の図柄の一部と重なるように第２層の外側に形成されている。
【０００８】
上記構成の遊技機では、第２層が第１層の外側に形成され、第１層側から透過する光を減光する。このため、光源が消灯している時の装飾部の表示においては、第１層が有する第１の図柄は第２層に妨げられて鮮明に表示されず、第３層が有する第２の図柄のみが鮮明に表示される。一方、光源が点灯すると、第１層側から第２層を透過する光の量が増加することから、第１の図柄が第２層に浮き出るように表示されるので、光源の消灯時に比べて、第１の図柄が鮮明に表示される。すなわち、光源の点灯時は、第１の図柄と第２の図柄がいずれも鮮明に表示される。
このように、塗料によって形成された第１層、第２層及び第３層を有する装飾部を備えるという簡単な構成で装飾部の表示を変化させることができる。
【発明の効果】
【０００９】
本発明によれば、簡単な構成で、装飾部の表示を変化させることができる。
【図面の簡単な説明】
【００１０】
【図１】本発明のパチスロの機能フローを示す図である。
【図２】本発明のパチスロの斜視図である。
【図３】本発明のパチスロの回路構成を示す図である。
【図４】本発明のパチスロの腰部の分解図である。
【図５】本発明のパチスロの腰部の断面図である。
【図６】腰部フィルムの前面に形成された層を説明するための図である。
【図７】腰部の状態を説明する図であり、Ａは腰部が消灯しているときの状態を示し、Ｂは腰部ＬＥＤが点灯しているときの状態を示している。
【発明を実施するための形態】
【００１１】
［パチスロの機能フロー］
本発明の遊技機に係る実施の形態について、以下図面を参照しながら説明する。はじめに、図１を参照して、本実施の形態における遊技機（以下、パチスロ）１の機能フローについて説明する。
【００１２】
遊技者によりメダルが投入され、スタートレバー６が操作されると、予め定められた数値の範囲（例えば、０〜６５５３５）の乱数から１つの値（以下、乱数値）が抽出される。
【００１３】
内部抽籤手段（後述のメインＣＰＵ３１）は、抽出された乱数値に基づいて抽籤を行い、内部当籤役を決定する。内部当籤役の決定により、後述の入賞判定ラインに沿って表示を行うことを許可する図柄の組合せが決定される。尚、図柄の組合せの種別としては、メダルの払い出し、再遊技の作動、ボーナスの作動等といった特典が遊技者に与えられる「入賞」に係るものと、それ以外のいわゆる「ハズレ」に係るものとが設けられている。
【００１４】
続いて、複数のリール３Ｌ，３Ｃ，３Ｒの回転が行われた後で、遊技者によりストップボタン７Ｌ，７Ｃ，７Ｒが押されると、リール停止制御手段（後述のモータ駆動回路３９、後述のステッピングモータ４９Ｌ，４９Ｃ，４９Ｒ）は、内部当籤役とストップボタンが押されたタイミングとに基づいて、該当するリールの回転を停止する制御を行う。
【００１５】
ここで、パチスロ１では、基本的に、ストップボタンが押されたときから規定時間（１９０ｍｓｅｃ）内に、該当するリールの回転を停止する制御が行われる。本実施の形態では、上記規定時間内でのリール３Ｌ，３Ｃ，３Ｒの回転に伴って移動する図柄の数を「滑り駒数」と呼び、その最大数を図柄４個分に定める。
【００１６】
リール停止制御手段は、入賞に係る図柄の組合せの表示を許可する内部当籤役が決定されているときでは、上記規定時間を利用して、その図柄の組合せが入賞判定ラインに沿って極力表示されるようにリール３Ｌ，３Ｃ，３Ｒの回転を停止する。その一方で、内部当籤役によってその表示が許可されていない図柄の組合せについては、上記規定時間を利用して、入賞判定ラインに沿って表示されることがないようにリール３Ｌ，３Ｃ，３Ｒの回転を停止する。
【００１７】
こうして、複数のリール３Ｌ，３Ｃ，３Ｒの回転が全て停止されると、入賞判定手段（後述のメインＣＰＵ３１）は、入賞判定ラインに沿って表示された図柄の組合せが、入賞に係るものであるか否かの判定を行う。入賞に係るものであるとの判定が行われると、メダルの払い出し等の特典が遊技者に与えられる。以上のような一連の流れがパチスロ１における１回の遊技として行われる。
【００１８】
また、パチスロ１では、前述した一連の流れの中で、液晶表示装置５により行う映像の表示、ランプ１４により行う光の出力、スピーカ９Ｌ，９Ｒにより行う音の出力、或いはこれらの組合せを利用して様々な演出が行われる。
【００１９】
遊技者によりスタートレバー６が操作されると、前述の内部当籤役の決定に用いられた乱数値とは別に、演出用の乱数値（以下、演出用乱数値）が抽出される。演出用乱数値が抽出されると、演出内容決定手段（後述のサブＣＰＵ８１）は、内部当籤役に対応づけられた複数種類の演出内容の中から今回実行するものを抽籤により決定する。
【００２０】
演出内容が決定されると、演出実行手段（後述の液晶表示装置５、後述のスピーカ９Ｌ，９Ｒ、後述のランプ１４）は、リール３Ｌ，３Ｃ，３Ｒの回転が開始されるとき、各リール３Ｌ，３Ｃ，３Ｒの回転がそれぞれ停止されるとき、入賞の有無の判定が行われたとき等の各契機に連動させて演出の実行を進める。このように、パチスロ１では、内部当籤役に対応づけられた演出内容を実行することによって、決定された内部当籤役（言い換えると、狙うべき図柄の組合せ）を知る或いは予想する機会が遊技者に提供され、遊技者の興味の向上が図られる。
【００２１】
なお、後述の腰部ＬＥＤ２０５ａ及び後述の下部ＬＥＤ２０８ａを演出実行手段に含めることとしてもよい。すなわち、後述の腰部パネル（装飾部）２２ａに対する照明や、後述のメダル受皿１６に対する照明により、決定された内部当籤役を遊技者に知らしめる或いは予測させることとしてもよい。
【００２２】
［パチスロの構造］
パチスロ１の機能フローについての説明は以上である。次に、図２を参照して、本実施の形態におけるパチスロ１について説明する。図２は、パチスロ１の斜視図である。
【００２３】
パチスロ１は、リール３Ｌ，３Ｃ，３Ｒや回路基板等を収容する筐体となるキャビネット１ａと、キャビネット１ａの前面側（図２におけるＦ側）に対して開閉可能に取り付けられるフロントドア２とを備える。キャビネット１ａの内部には、３つのリール３Ｌ，３Ｃ，３Ｒが横並びに設けられている。各リール３Ｌ，３Ｃ，３Ｒは、円筒状のフレームの周面に、複数の図柄が回転方向に沿って連続的に配置された帯状のシートを貼り付けて構成されている。
【００２４】
フロントドア２は、遊技に関する情報を表示する表示部２１と、表示部２１の下方（図２におけるＢ側）に設けられ遊技者の操作を受け付ける操作部を設けると共に任意の図柄を表示可能な腰部２２と、腰部２２の下方Ｂ側に設けられ遊技媒体の払い出しを受け付ける受け皿部２３とを備える。
【００２５】
フロントドア２の表示部２１は、図柄表示領域１９Ｌ，１９Ｃ，１９Ｒを含む表示画面５ａを備える液晶表示装置５を備える。液晶表示装置５は、正面から見て３つのリール３Ｌ，３Ｃ，３Ｒに重畳する手前側（図２におけるＦ側）に位置するように設けられている。液晶表示装置５は、取付枠により、フロントドア２の上側（Ｔ側）に固定される。
【００２６】
図柄表示領域１９Ｌ，１９Ｃ，１９Ｒは、３つのリール３Ｌ，３Ｃ，３Ｒのそれぞれに対応して設けられており、その背面側（図２におけるＲ側）に設けられたリール３Ｌ，３Ｃ，３Ｒを透過することが可能な構成を備えている。
【００２７】
つまり、図柄表示領域１９Ｌ，１９Ｃ，１９Ｒは、表示窓としての機能を果たすものであり、その背後に設けられたリール３Ｌ，３Ｃ，３Ｒの回転及びその停止の動作が遊技者側から視認可能となる。パチスロ１では、図柄表示領域１９Ｌ，１９Ｃ，１９Ｒを含めた表示画面５ａの全体を使って、映像の表示が行われ、演出が実行される。
【００２８】
図柄表示領域１９Ｌ，１９Ｃ，１９Ｒは、その背後に設けられたリール３Ｌ，３Ｃ，３Ｒの回転が停止されたとき、リール３Ｌ，３Ｃ，３Ｒの表面に配された複数種類の図柄のうち、その枠内における上段、中段及び下段の各領域にそれぞれ１個の図柄（合計で３個）を表示する。また、各図柄表示領域１９Ｌ，１９Ｃ，１９Ｒが有する上段、中段及び下段からなる３つの領域のうち予め定められた何れかをそれぞれ組合せてなる擬似的なラインを、入賞か否かの判定を行う対象となるライン（入賞判定ライン）として定義する。
【００２９】
液晶表示装置５の上部には、ランプ（ＬＥＤ等）１４が設けられる。ランプ１４は、演出内容に応じた点消灯のパターンにて光を出力する。
【００３０】
フロントドア２の腰部２２は、遊技者による操作の対象となる各種装置（メダル投入口１０、ベットボタン１１、スタートレバー６、ストップボタン７Ｌ，７Ｃ，７Ｒ）が設けられた腰部本体（ドア本体）２１０と、図４に示すように、後述の腰部パネル２２ａと、後述の照明ユニット（光源）２２ｂと、後述の受け皿照明ユニット２２ｃと、を備える。
【００３１】
メダル投入口１０は、遊技者によって外部から投下されるメダルを受け入れるために設けられる。メダル投入口１０に受け入れられたメダルは、所定枚数（例えば３枚）を上限として１回の遊技に投入され、所定枚数を超えた分はパチスロ１内部に預けることが可能となる（いわゆるクレジット機能）。
【００３２】
ベットボタン１１は、パチスロ１内部に預けられているメダルから１回の遊技に投入する枚数を決定するために設けられる。精算ボタン１２は、パチスロ１内部に預けられているメダルを外部に引き出すために設けられる。清算ボタン１２の近傍には、７セグ表示器１３が設けられている。
【００３３】
スタートレバー６は、全てのリール３Ｌ，３Ｃ，３Ｒの回転を開始するために設けられる。ストップボタン７Ｌ，７Ｃ，７Ｒは、３つのリール３Ｌ，３Ｃ，３Ｒのそれぞれに対応づけられ、対応するリール３Ｌ，３Ｃ，３Ｒの回転を停止するために設けられる。
【００３４】
フロントドア２の受け皿部２３は、演出内容に応じた効果音や楽曲等の音を出力するスピーカ９Ｌ，９Ｒと、スピーカ９Ｌ，９Ｒの間に設けられパチスロ１から排出されるメダルを外部に導くメダル払出口１５と、メダル払出口１５から排出されるメダルを受けるメダル受皿１６と、を備える。
【００３５】
［パチスロが備える回路の構成］
次に、図３を参照して、本実施の形態におけるパチスロ１が備える回路の構成について説明する。本実施の形態におけるパチスロ１は、主制御回路７１、副制御回路７２及びこれらと電気的に接続する周辺装置（アクチュエータ）を備える。図３は、本実施の形態におけるパチスロ１の主制御回路７１及び副制御回路７２の構成を示す。
【００３６】
＜主制御回路＞
（マイクロコンピュータ）
主制御回路７１は、回路基板上に設置されたマイクロコンピュータ３０を主たる構成要素としている。マイクロコンピュータ３０は、ＣＰＵ（以下、メインＣＰＵ）３１、ＲＯＭ（以下、メインＲＯＭ）３２及びＲＡＭ（以下、メインＲＡＭ）３３により構成される。
【００３７】
メインＲＯＭ３２には、メインＣＰＵ３１により実行される制御プログラム、内部当籤役を決定するための内部抽籤テーブル等のデータテーブル、副制御回路７２に対して各種制御指令（コマンド）を送信するためのデータ等が記憶されている。メインＲＡＭ３３には、制御プログラムの実行により決定された内部当籤役等の各種データを格納する格納領域が設けられる。
【００３８】
（乱数発生器等）
メインＣＰＵ３１には、クロックパルス発生回路３４、分周器３５、乱数発生器３６及びサンプリング回路３７が接続されている。クロックパルス発生回路３４及び分周器３５は、クロックパルスを発生する。メインＣＰＵ３１は、発生されたクロックパルスに基づいて、制御プログラムを実行する。乱数発生器３６は、予め定められた範囲の乱数（例えば、０〜６５５３５）を発生する。サンプリング回路３７は、発生された乱数の中から１つの値を抽出する。
【００３９】
（スイッチ等）
マイクロコンピュータ３０の入力ポートには、スイッチ等が接続されている。メインＣＰＵ３１は、スイッチ等の入力を受けて、ステッピングモータ４９Ｌ，４９Ｃ，４９Ｒ等の周辺装置の動作を制御する。ストップスイッチ７Ｓは、３つのストップボタン７Ｌ，７Ｃ，７Ｒのそれぞれが遊技者により押されたこと（停止操作）を検出する。また、スタートスイッチ６Ｓは、スタートレバー６が遊技者により操作されたこと（開始操作）を検出する。
【００４０】
メダルセンサ４２Ｓは、メダル投入口１０に受け入れられたメダルが前述のセレクタ４２内を通過したことを検出する。また、ベットスイッチ１１Ｓは、ベットボタン１１が遊技者により押されたことを検出する。また、精算スイッチ１２Ｓは、精算ボタン１２が遊技者により押されたことを検出する。
【００４１】
（周辺装置及び回路）
マイクロコンピュータ３０により動作が制御される周辺装置としては、ステッピングモータ４９Ｌ，４９Ｃ，４９Ｒ、７セグ表示器１３及びホッパー４０がある。また、マイクロコンピュータ３０の出力ポートには、各周辺装置の動作を制御するための回路が接続されている。
【００４２】
モータ駆動回路３９は、各リール３Ｌ，３Ｃ，３Ｒに対応して設けられたステッピングモータ４９Ｌ，４９Ｃ，４９Ｒの駆動を制御する。リール位置検出回路５０は、発光部と受光部とを有する光センサにより、リール３Ｌ，３Ｃ，３Ｒが一回転したことを示すリールインデックスを各リール３Ｌ，３Ｃ，３Ｒに応じて検出する。
【００４３】
ステッピングモータ４９Ｌ，４９Ｃ，４９Ｒは、運動量がパルスの出力数に比例し、回転軸を指定された角度で停止させることが可能な構成を備えている。ステッピングモータ４９Ｌ，４９Ｃ，４９Ｒの駆動力は、所定の減速比をもったギアを介してリール３Ｌ，３Ｃ，３Ｒに伝達される。ステッピングモータ４９Ｌ，４９Ｃ，４９Ｒに対して１回のパルスが出力される毎に、リール３Ｌ，３Ｃ，３Ｒは一定の角度で回転する。
【００４４】
メインＣＰＵ３１は、リールインデックスを検出してからステッピングモータ４９Ｌ，４９Ｃ，４９Ｒに対してパルスを出力した回数をカウントすることによって、リール３Ｌ，３Ｃ，３Ｒの回転角度（主に、リール３Ｌ，３Ｃ，３Ｒが図柄何個分だけ回転したか）を管理し、リール３Ｌ，３Ｃ，３Ｒの表面に配された各図柄の位置を管理するようにしている。
【００４５】
表示部駆動回路４８は、７セグ表示器１３の動作を制御する。また、ホッパー駆動回路４１は、ホッパー４０の動作を制御する。また、払出完了信号回路５１は、ホッパー４０に設けられたメダル検出部４０Ｓが行うメダルの検出を管理し、ホッパー４０から外部に排出されたメダルが払出枚数に達したか否かをチェックする。
【００４６】
＜副制御回路＞
副制御回路７２は、主制御回路７１と電気的に接続されており、主制御回路７１から送信されるコマンドに基づいて演出内容の決定や実行等の処理を行う。副制御回路７２には、その動作が制御される周辺装置として、液晶表示装置５、スピーカ９Ｌ，９Ｒ、ランプ１４、腰部ＬＥＤ２０５ａ、及び下部ＬＥＤ２０８ａが接続されている。
【００４７】
副制御回路７２は、演出内容により指定されたアニメーションデータに従って映像を作成し、作成した映像を液晶表示装置５により表示する。また、副制御回路７２は、演出内容により指定されたサウンドデータに従ってＢＧＭ等の音をスピーカ９Ｌ，９Ｒにより出力する。また、副制御回路７２は、演出内容により指定されたランプデータに従ってランプ１４の点灯及び消灯を行う。
【００４８】
さらに、副制御回路７２は、演出内容により指定されたランプデータに従って腰部ＬＥＤ２０５ａ及び／又は下部ＬＥＤ２０８ａの点灯及び消灯を行う。
【００４９】
＜腰部の構成＞
次に、図４及び図５を参照して、腰部２２の構成について説明する。図４は腰部２２の分解図であり、図５は腰部２２の断面図である。
【００５０】
腰部２２は、任意の画像が描かれた腰部パネル２２ａ、腰部パネル２２ａを背面側（図４におけるＲ側）から照明する照明ユニット２２ｂ、照明ユニット２２ｂの背面Ｒ側に設けられた腰部本体２１０、及び照明ユニット２２ｂと腰部本体２１０との間に設けられた受け皿照明ユニット２２ｃを備える。
【００５１】
腰部パネル２２ａは、腰部カバー２０１と、腰部カバー２０１の背面Ｒ側に配置された腰部フィルム２０２とから構成される。腰部カバー２０１は、アクリル系樹脂等の透光性部材からなり、腰部フィルム２０２を保護する。
【００５２】
腰部フィルム２０２は、腰部カバー２０１と照明ユニット２２ｂの腰部リアケース２０３との間に配置されている。腰部フィルム２０２は、透光性を有する樹脂シートである。腰部フィルム２０２の前面には、透光性を有するインク、本実施の形態では同種の油性インク、で印刷されたキャラクタや背景からなる図柄が表示されている。インクは複数回、本実施の形態では３回、に分けて腰部フィルム２０２の前面に塗布されて、後述するように腰部フィルム２０２の前面に３つの層を形成している。なお、腰部カバー２０１を取り外し腰部フィルム２０２を取り替えることにより、腰部パネル２２ａに表示する図柄を変更することができる
【００５３】
照明ユニット２２ｂは、腰部パネル２２ａの背面Ｒ側に設けられた腰部リアケース２０３と、この腰部リアケース２０３の背面Ｒ側に設けられた導光板２０４と、導光板２０４の下方Ｂ側に設けられた腰部ＬＥＤ基板２０５と、腰部ＬＥＤ基板２０５の表面（図４におけるＦ側）に実装され導光板２０４の下方側面の近傍に設けられた複数の腰部ＬＥＤ２０５ａと、腰部ＬＥＤ基板２０５と共に腰部ＬＥＤ２０５ａを包み込み開口部で導光板２０４の下端部を挟持するリフレクタ２０６と、導光板２０４の背面Ｒ側に設けられた導光板ケース２０７と、から構成される。
【００５４】
腰部リアケース２０３は透光性部材からなる。導光板２０４は、腰部ＬＥＤ２０５ａからの光を腰部パネル２２ａに導き出す（腰部パネル２２ａを照明する）、例えばアクリル系樹脂等の透光性部材で構成されている。導光板２０４の背面Ｒ側には、白色インクで反射ドットを印刷したドットパターンが設けられている。このドットパターンは、導光板２０４の全体を均一に発光させるために、腰部ＬＥＤ２０５ａから遠くなるほど（導光板２０４の上方Ｔ側になるほど）密になる。
【００５５】
腰部ＬＥＤ基板２０５は、横長の長方形に形成されており、導光板２０４と水平方向（Ｌ−Ｒ２方向）に平行して設けられる。腰部ＬＥＤ基板２０５の表面には、水平方向（Ｌ−Ｒ２方向）に４８個の腰部ＬＥＤ２０５ａが等間隔で略一直線上に実装される。なお、腰部ＬＥＤ基板２０５は、図示しないハーネスにより副制御回路７２に接続される。
【００５６】
腰部ＬＥＤ２０５ａは、腰部ＬＥＤ基板２０５から前面Ｆ側に突起し、導光板２０４の下方側面に接触することなく設けられる。腰部ＬＥＤ２０５ａは、フルカラーＬＥＤであり、副制御回路７２の制御により点灯／消灯する。
【００５７】
パチスロ１では、導光板２０４の下方側面から等間隔に配置された腰部ＬＥＤ２０５ａが光を照射するため、導光板２０４に導入された光は均一になり、腰部フィルム２０２全体の光量が均一化される。
【００５８】
リフレクタ２０６は、上側（図４におけるＴ側）に向けて開口する断面略コの字状の金属板であり、導光板２０４と水平方向（Ｌ−Ｒ２方向）に平行して設けられる。リフレクタ２０６は腰部ＬＥＤ２０５ａを包み込むと共に、リフレクタ２０６の開口部には導光板２０４が取り付けられる。そのため、腰部ＬＥＤ２０５ａから照射される光は、効率的に導光板２０４に導入される。
【００５９】
導光板ケース２０７は、導光板２０４、腰部ＬＥＤ基板２０５、腰部ＬＥＤ２０５ａ、及びリフレクタ２０６を収容する。なお、導光板２０４と導光板ケース２０７との間には、リフレクタシート（例えば白色のポリエステルフィルムやアルミ薄膜に銀蒸着膜を形成したもの）が挟まれており、導光板２０４に導入された光を前面側（Ｆ側）に向けて反射させる。
【００６０】
受け皿照明ユニット２２ｃは、下部ＬＥＤカバー２０９と、下部ＬＥＤカバー２０９の下方（図４におけるＢ側）に設けられた下部ＬＥＤ基板２０８と、を備える。下部ＬＥＤ基板２０８は、照明ユニット２２ｂの背面側下方に設けられ、表面（図５におけるＢ側）に下部ＬＥＤ２０８ａが実装される。下部ＬＥＤ２０８ａは、腰部カバー２０１の下方Ｂ側を介してメダル受皿１６を照明する。下部ＬＥＤカバー２０９は、下部ＬＥＤ基板２０８を保護する。
【００６１】
次に、図６を参照して、腰部フィルム２０２の前面にインクによって形成された３つの層について説明する。図６は腰部フィルム２０２の前面に形成された層を説明するための図である。
【００６２】
３つの層は、１回目の印刷によって腰部フィルム２０２の前面に形成される第１層２１１と、２回目の印刷によって第１層２１１上に形成される第２層２１２と、３回目の印刷によって第２層２１２上に形成される第３層２１３からなる。
【００６３】
第１層２１１は、複数色のインクによって形成され、腰部フィルム２０２の全面の全範囲に亘る第１の図柄ｆ１を有している。第１の図柄ｆ１は、略中央部に配されたキャラクタ図柄ｃ１と、キャラクタ図柄ｃ１の左右に配された花火を含む背景図柄ｂ１とからなる。
【００６４】
第２層２１２は、白色のインクによって形成されている。第２層２１２は、第１層２１１側から入光して第２層２１２を透過する光を減光する。第２層２１２を形成する白色のインクの塗布量及び濃度は、第１層２１１側から入光して第２層２１２を透過する光の量が３０パーセントになるように設定されている。
【００６５】
第３層２１３は、複数色のインクによって形成され、第２の図柄ｆ２を有している。第２の図柄ｆ２は、略中央部に配されたキャラクタ図柄ｃ２と、キャラクタ図柄ｃ２の周囲に配され、無色のインクで形成された無色背景ｂ２とからなる。
第２の図柄ｆ２におけるキャラクタ図柄ｃ２と第１の図柄ｆ１におけるキャラクタ図柄ｃ１は同一、すなわち輪郭及び色ともに同一、の図柄である。
第３層２１３は、第２の図柄ｆ２のキャラクタ図柄ｃ２が第２層２１２を介して第１の図柄ｆ１のキャラクタ図柄ｃ１に重なるように、第２層２１２上に形成されている。
【００６６】
上述のように、腰部フィルム２０２が、腰部カバー２０１と、腰部リアケース２０３との間に配置されると、第１層２１１の外側（図２におけるＦ側）に第２層２１２が配置され、第２層２１２の外側に第３層２１３が配置される。
【００６７】
＜作用＞
次に、図７を参照して、本実施の形態のパチスロ１の作用について説明する。図７Ａは腰部ＬＥＤ２０５ａが消灯しているときの腰部２２の状態を示す説明図であり、図７Ｂは腰部ＬＥＤ２０５ａが点灯しているときの腰部２２の状態を示す説明図である。
【００６８】
遊技者によって遊技が開始されると、副制御回路７２は、演出内容を決定し、決定した演出内容により指定されたランプデータに従って腰部ＬＥＤ２０５ａの点灯及び消灯を行う。
【００６９】
上述のように、腰部フィルム２０２の第２層２１２は第１層２１１側から入光して第２層２１２を透過する光を減光する。このため、図７Ａに示すように、腰部ＬＥＤ２０５ａが消灯しているときの腰部２２の腰部パネル２２ａでは、第１層２１１の第１の図柄ｆ１が第２層２１２に妨げられて鮮明に表示されず、第３層２１３の第２の図柄ｆ２のみが鮮明に表示される。上述のように、第２の図柄ｆ２は、略中央部に配されたキャラクタ図柄ｃ１と、無色背景ｂ２とからなるので、キャラクタ図柄ｃ２が略中央部に表示され、キャラクタ図柄ｃ２の周囲は、無色背景ｂ２を介して第２層２１２が露出して白色に表示される。
【００７０】
一方、腰部ＬＥＤ２０５ａが点灯しているときの腰部パネル２２ａでは、腰部フィルム２０２の第１層２１１側から入光して第２層２１２を透過する光の量が増加する。このため、図７Ｂに示すように、腰部ＬＥＤ２０５ａの消灯時に比べて、第１の図柄ｆ１が鮮明に表示される。すなわち、第１層２１１の第１の図柄ｆ１が第２層２１２に浮き出るように表示され、第１の図柄ｆ１の背景図柄ｂ１が第３層２１３における第２の図柄ｆ２の無色背景ｂ２を介して、第２の図柄ｆ２のキャラクタ図柄ｃ２の周囲に表示される。
また、第３層２１３は、キャラクタ図柄ｃ２が第２層２１２を介してキャラクタ図柄ｃ１に重なるように、第２層２１２上に形成されている。このため、第２層２１２に浮き出るように表示されたキャラクタ図柄ｃ１と第３層２１３のキャラクタ図柄ｃ２が重なって、キャラクタが強調されて表示される。これによって、演出又は装飾の効果を高めることができる。
【００７１】
本実施の形態では、腰部フィルム２０２にインクによって第１層２１１、第２層２１２及び第３層２１３を形成するという簡単な構成で腰部パネル２２ａの表示を変化させることができる。
【００７２】
また、本実施の形態では、腰部フィルム２０２に３つの層を形成するインクとして、同種の油性インクを用いるので、多種のインクを用いる場合に比べて、コストを抑えることができる。
【００７３】
<変形例>
以上、本発明者によってなされた発明を適用した実施の形態について説明した。しかしながら、上記実施の形態による発明の開示の一部をなす論述及び図面により本発明は限定されることはなく、特許請求の範囲に記載した発明の要旨を逸脱しない範囲内で種々の変形実施が可能である。
【００７４】
例えば、本実施の形態では、第３層２１３の第２の図柄ｆ２が、略中央部に配されたキャラクタ図柄ｃ２と、キャラクタ図柄ｃ２の周囲に配され、無色のインクで形成された無色背景ｂ２とからなる態様を説明した。しかし、これに代えて、無色背景ｂ２を省略し、キャラクタ図柄ｃ２のみからなる第３層を形成してもよい。
【００７５】
また、本実施の形態では、腰部フィルム２０２の前面にインクによって３つの層を形成した。しかし、これに代えて、腰部カバー２０１の後面に３つの層を形成してもよい。この場合、１回目の印刷によって腰部カバー２０１の後面に第３層２１３を形成し、２回目の印刷によって第３層２１３上に第２層２１２を形成し、３回目の印刷によって第２層２１２上に第１層２１１を形成する。このため、腰部フィルム２０２を省略することができるので、より構造が簡単になり、パチスロ１を製造するためのコストを低減させることができる。
【００７６】
また、本実施の形態では、第２層２１２を白色のインクによって形成したが、使用するインクの色は、シルバーなどの他の色に適宜変更可能である。
また、本実施の形態では、第２層２１２が第１層２１１側から入光した光のうち３０パーセントの光を透過させる態様を説明した。しかし、第２層２１２の光の透過率は、腰部パネル２２ａを視る者が腰部ＬＥＤ２０５ａの点灯及び消灯によって腰部パネル２２ａの表示が変化することを認識できる範囲で適宜変更可能である。
【００７７】
また、本実施の形態では、第２の図柄ｆ２におけるキャラクタ図柄ｃ１と第１の図柄ｆ１におけるキャラクタ図柄ｃ１は同一、すなわち輪郭及び色ともに同一、の図柄である態様を説明した。しかし、これに代えて、輪郭のみ同一にし、キャラクタ図柄ｃ１の色と、キャラクタ図柄ｃ２の色とが相違するようにしてもよい。例えば、キャラクタ図柄ｃ１における頬の部分の色を、キャラクタ図柄ｃ２における頬の部分の色よりも赤く着色してもよい。この場合、腰部ＬＥＤ２０５ａが点灯すると、キャラクタ図柄ｃ１の頬の赤色が第２層２１２に浮き出るので、キャラクタ図柄ｃ２の頬の部分が赤みがかって表示される。このため、キャラクタの表情が変化するような演出を行うことができ、遊技の演出の効果をさらに高めることができる。
【００７８】
本実施の形態では、本発明の装飾部として腰部パネル２２ａを例に説明したが、装飾部は腰部パネル２２ａに限定されない。例えば、７セグ表示機の周囲や液晶表示装置５の前面の周部を腰部パネル２２ａと同様に構成して本発明の装飾部としてもよい。
【００７９】
さらに、本実施例のようなパチスロ１の他、パチンコ遊技機、ストップボタン７Ｌ，７Ｃ，７Ｒを備えないスロットマシン等の他の遊技機にも本発明を適用できる。
【符号の説明】
【００８０】
１…パチスロ、  １ａ…キャビネット、  ２…フロントドア、  ２２…腰部、  ２２ａ…腰部パネル（装飾部）、  ２２ｂ…照明ユニット（光源）、  ２２ｃ…皿照明ユニット、  ２３…皿部、  ７２…副制御回路、  ２０１…腰部カバー、  ２０２…腰部フィルム、  ２０３…腰部リアケース、  ２０４…導光板、  ２０５…腰部ＬＥＤ基板、  ２０５ａ…腰部ＬＥＤ、  ２０６…リフレクタ、  ２０７…導光板ケース、  ２０８…下部ＬＥＤ基板、  ２０８ａ…下部ＬＥＤ、  ２０９…下部ＬＥＤカバー、  ２１０…腰部本体（ドア本体）、  ２１１…第１層、  ２１２…第２層、  ２１３…第３層、  ｂ１…背景図柄、  ｂ２…無色背景、  ｃ１…キャラクタ図柄、  ｃ２…キャラクタ図柄、  ｆ１…第１の図柄、  ｆ２…第２の図柄
【図１】
2014004083.tif 000003
【図２】
2014004083.tif 000004
【図３】
2014004083.tif 000005
【図４】
2014004083.tif 000006
【図５】
2014004083.tif 000007
【図７】
2014004083.tif 000008
【図６】
2014004083.tif 000009